(57)【要約】【課題】フロントグリルの取込口を塞ぐこと無く、取込口から浸入した水が熱源体にかかり難くした車両前部構造を提供する。【解決手段】内燃機関の吸気口５と、走行時に熱を持つ熱源体４と、エンジンルーム１０に走行風を導入するフロントグリル２とを備える車両前部構造１である。フロントグリル２は、走行風をエンジンルーム１０内に取り込む複数の取込口２ｈを形成する桟部２Ａと、桟部２Ａに一体に設けられ、エンジンルーム１０内に延びる導風板２０とを備える。導風板２０は、車両を正面視したときに車幅方向に熱源体４と重複する位置にあり、熱源体４から離れる側で、かつ吸気口５側に向って屈曲しており、導風板２０の車両後方側の上端部が熱源体４の上部領域よりも高い位置にある。【選択図】図３
2018052405.tif 000002
【特許請求の範囲】
【請求項１】
内燃機関の吸気口と、走行時に熱を持つ熱源体と、エンジンルームに走行風を導入するフロントグリルとを備える車両前部構造であって、
前記フロントグリルは、前記走行風を前記エンジンルーム内に取り込む複数の取込口を形成する桟部と、前記桟部に一体に設けられ、前記エンジンルーム内に延びる導風板とを備え、
前記導風板は、車両を正面視したときに車幅方向に前記熱源体と重複する位置にあり、前記熱源体から離れる側で、かつ前記吸気口側に向って屈曲しており、
前記導風板の車両後方側の上端部が前記熱源体の上部領域よりも高い位置にある車両前部構造。
【発明の詳細な説明】
【技術分野】
【０００１】
本発明は、エンジンルームに走行風を導入するフロントグリルを備える車両前部構造に関する。
【背景技術】
【０００２】
内燃機関を搭載する車両の前部には通常、走行風をエンジンルーム内に取り込む複数の取込口を有するフロントグリルが備わっている（例えば、特許文献１参照）。フロントグリルは、車両の走行時に車両前方からエンジンルーム内に走行風を導入して、エンジンルーム内の熱源体（例えば、ターボチャージャーやエキゾーストマニホールドなど）を冷却する。また、内燃機関に空気を取り込む吸気口は通常、エンジンルーム内に開口しており、フロントグリルから取り込まれた走行風は、上記吸気口へも供給される。空気の温度が低いほど空気の酸素密度が高くなるので、吸気口から吸気する空気の温度（吸気温度）が低いほど好ましい。
【先行技術文献】
【特許文献】
【０００３】
【特許文献１】特開２０１６−７９９５号公報
【発明の概要】
【発明が解決しようとする課題】
【０００４】
水たまりを走行するなどしてフロントグリルからエンジンルーム内に水が入り、熱源体が濡れると熱源体が錆びる恐れがある。その対策として、フロントグリルの取込口のうち、熱源体の前方側の取込口を塞いでしまうと、エンジンルーム内に走行風が入り難くなり、エンジンルーム内に熱が籠もって、吸気温度が高くなる恐れがある。
【０００５】
また、小型車ではエンジンルームの広さに制約があるため、フロントグリルの取込口の形成エリアにホーンが配置される場合がある。ホーンによってエンジンルーム内に走行風が入り難くなっている構成において、更に熱源体の防錆のために一部の取込口を塞ぐと、より一層、吸気温度が高くなってしまう。
【０００６】
本発明は上記事情に鑑みてなされたものであり、その目的の一つは、フロントグリルの取込口を塞ぐこと無く、取込口から浸入した水が熱源体にかかり難くした車両前部構造を提供することにある。また、本発明の別の目的は、熱源体の熱によって吸気温度が高くなることを抑制できる車両前部構造を提供することにある。
【課題を解決するための手段】
【０００７】
本発明の一形態に係る車両前部構造は、
内燃機関の吸気口と、走行時に熱を持つ熱源体と、エンジンルームに走行風を導入するフロントグリルとを備える車両前部構造であって、
前記フロントグリルは、前記走行風を前記エンジンルーム内に取り込む複数の取込口を形成する桟部と、前記桟部に一体に設けられ、前記エンジンルーム内に延びる導風板とを備え、
前記導風板は、車両を正面視したときに車幅方向に前記熱源体と重複する位置にあり、前記熱源体から離れる側で、かつ前記吸気口側に向って屈曲しており、
前記導風板の車両後方側の上端部が前記熱源体の上部領域よりも高い位置にある。
【発明の効果】
【０００８】
フロントグリルからエンジンルーム内に延び、熱源体から離れる側に屈曲する導風板によって、熱源体に水がかかることを抑制することができる。また、導風板は、熱源体から離れる側でかつ吸気口側に屈曲しているので、導風板に当たる走行風は吸気口に導かれ易く、熱源体の熱の影響も受け難い。更に、エンジンルーム内の走行風の流れを調整する導風板は、フロントグリルの桟部に一体に設けられているため、別途、走行風の流れを調整するための部材を設ける必要がなく、部品点数の削減によりコスト・生産性に優れる。
【図面の簡単な説明】
【０００９】
【図１】実施形態に係る車両前部構造を備える車両の概略正面図である。
【図２】実施形態１に係る車両前部構造を車両正面から見たときのフロントグリルとエンジンルーム内に配置される一部の構成部材との位置関係を示す説明図である。
【図３】図２のＩＩＩ−ＩＩＩ断面図である。
【図４】フロントグリルの導風板の取り付け手順の一例を説明する説明図である。
【図５】実施形態２に係る車両前部構造の縦断面図である。
【発明を実施するための形態】
【００１０】
以下、本発明の車両前部構造の実施形態を図面に基づいて説明する。なお、本発明は、これらの例示に限定されず、特許請求の範囲によって示され、特許請求の範囲と均等の意味および範囲内でのすべての変更が含まれることが意図される。
【００１１】
＜実施形態＞
≪全体構成≫
図１に示す車両１００のうち、エンジンルームを含む車両前部構造１は、車高方向に並ぶ二つのフロントグリル２，３を備える。本例のフロントグリル２（３）は、走行風をエンジンルーム内に取り込む複数の取込口２ｈ（３ｈ）を形成する桟部を備える。本例のフロントグリル２（３）の桟部は、車幅方向に延びる横桟部２Ａ（３Ａ）と、車高方向に延びる縦桟部２Ｂ（３Ｂ）とで構成される。以降の説明では、車両上方側に配置されるフロントグリル２をアッパーグリル、車両下方側に配置されるフロントグリル３をロアグリルと呼ぶ場合がある。
【００１２】
≪フロントグリル≫
フロントグリル２，３と、エンジンルーム内に配置される一部の構成部材との位置関係を図２に基づいて説明する。本例の車両前部構造１では、アッパーグリル２の車両右方側（紙面左側）の位置に、アッパーグリル２と重複するようにホーン６とターボチャージャー４が配置されている。車両右方側のアッパーグリル２よりも上部には、図示しない内燃機関に空気を吸気する吸気管の吸気口５が開口している。吸気口５は、車両左方側に向いて開口している。熱源体であるターボチャージャー４は、吸気口５よりも車両前方側にある。
【００１３】
本例の車両前部構造１では、ターボチャージャー（熱源体）４の正面にあるアッパーグリル２の取込口２ｈを塞ぐこと無く、その取込口２ｈを通って外部からエンジンルーム内に浸入した水がターボチャージャー４にかからないようにすると共に、吸気口５に走行風を導く導風板を横桟部２Ａに一体に設ける。導風板は、車両１００（図１）を正面視したときに車幅方向にターボチャージャー４と重複する位置に設けられている。この導風板の詳しい構成を主に図３を参照して説明する。
【００１４】
図３は、図２のＩＩＩ−ＩＩＩ断面図であって、アッパーグリル２の上方に配置されるボンネット（フードとも言う）９も合わせて図示している。図３に示すように、導風板２０は、アッパーグリル２の横桟部２Ａのうち、ターボチャージャー４に対応する高さにある横桟部２Ａに一体に設けられている。導風板２０は、エンジンルーム１０内に延び、その延伸の途中でターボチャージャー４から離れる側で、かつ吸気口５側に向って屈曲している。そして、導風板２０の車両後方側の上端部は、ターボチャージャー（熱源体）４の上部領域よりも高い位置に配置されている。ターボチャージャー４の上部領域とは、ターボチャージャー４の高さ方向の上部２割の領域のことである。導風板２０の車両後方側の上端部の位置をこのように設定することで、導風板２０の直上の取込口２ｈから水が浸入しても、その水がターボチャージャー４にかかることを抑制できる。当該上端部の位置は、ターボチャージャー４の高さ方向の上部１割の領域よりも上、特に、当該上端部の位置をターボチャージャー４の上端よりも高くすることで、ターボチャージャー４への水かかりは勿論、走行風の温度上昇を効果的に抑制できる。なお、導風板２０の車両前方側の端部（横桟部２Ａとの接合部）は、車両を正面視したときに高さ方向にターボチャージャー４に重複する位置か、それよりも下方とする。
【００１５】
導風板２０の車幅方向の幅（図３の奥行き方向の長さ）は、ターボチャージャー４に水がかかることを抑制する観点から、車両を正面視したときに少なくともターボチャージャー４を全幅に及ぶ長さとする（図２参照）。好ましくは、ターボチャージャー４の全幅よりも導風板２０の幅を大きくする。
【００１６】
導風板２０を含むアッパーグリル２は、樹脂で構成することが好ましい。樹脂であればアッパーグリル２の作製が容易であるし、後述する遮熱の点で有利であるからである。
【００１７】
上記導風板２０を樹脂で構成する場合、型抜き性を考慮して、図４に示すように、横桟部２Ａから車両後方側に真っ直ぐに延びる平板状に成形し、取付け時に屈曲させることが好ましい。その場合、平板状の導風板２０を車両上方側に屈曲させ、導風板２０の車両後方側の端部をエンジンルーム１０内の適宜な部材（図示せず）にクリップやネジで固定すると良い。導風板２０を曲げ易くするために、図４に示すように導風板２０に薄肉部２０ｇを形成しても良い。本例の薄肉部２０ｇは、導風板２０の上面に設けられる車幅方向に延びる溝によって構成されている（導風板２０の下面に設けられる溝でも可）。なお、フロントグリル２の縦桟部２Ｂから車両後方側に延びる支持材を縦桟部２Ｂに一体に形成し、その支持材の車両方向側の端部に導風板２０の車両後方側の端部を固定しても構わない。
【００１８】
≪その他の構成≫
本例の構成では、図３に示すように、アッパーグリル２におけるホーン６よりも上方の位置にフロントモニタカメラ７が設けられている。また、熱源体として、ターボチャージャー４の他にエキゾーストマニホールドを挙げることができ、エキゾーストマニホールドに対して導風板２０を設定しても良い。
【００１９】
≪効果≫
以上説明した車両前部構造１によれば、以下に示す効果を得ることができる。
【００２０】
［１］熱源体の防錆
図２に示すように、車両１００（図１）を正面視したときに、ターボチャージャー（熱源体）４に重複する導風板２０（図３）によって、導風板２０の上側にある取込口２ｈからエンジンルーム１０内に浸入した水がターボチャージャー４にかかり難くなる。特に、本例では導風板２０の車両後方側の上端部が熱源体４よりも高い位置にあるため、その上端部を超えてターボチャージャー４に水がかかり難い。その結果、ターボチャージャー４の防錆を行なうことができる。
【００２１】
［２］給気温度の上昇の抑制
図３に示すように、吸気口５側に屈曲する導風板２０によって、アッパーグリル２の取込口２ｈから導入された走行風が、白抜き矢印で示すようにターボチャージャー４を避けて吸気口５側に向う。そのため、ターボチャージャー４の熱によって走行風の温度が大きく上昇することが無く、吸気温度の上昇を効果的に抑制できる。
【００２２】
［３］生産性に優れる
本例の導風板２０はアッパーグリル２に一体に形成されているため、導風板２０の設置に伴う部品点数の増加がない。つまり、生産性を低下させることなく、上記［１］、［２］の効果を得ることができる。
【００２３】
［４］クラクションの聴取性の向上
本例の導風板２０は、ホーン６の前方を塞がないので、クラクションの音圧が減じられることがない。むしろ、屈曲する導風板２０がホーン６からの音を車両前方に導く形状になっているため、クラクションの聴取性が高まる可能性がある。
【００２４】
［５］車両外部からの見栄えの向上
導風板２０によって、車両１００（図１）の外部からエンジンルーム１０内が見え難くなるので、アッパーグリル２付近の外部からの見栄えを向上させることができる。
【００２５】
［６］熱源体による危害性の低下
子供などがエンジンルーム１０に手を差し入れ、ターボチャージャー４などの熱源体に触れてしまう恐れがある。これに対して、本例の構成では導風板２０によってフロントグリル２の外部からエンジンルーム１０内に深く手を差し入れることができなくなっており、子供などが熱源体４に触れることを抑制できる。
【００２６】
［７］盗難抑制
導風板２０によってエンジンルーム１０内に手や器具を差し入れ難くなっているため、不正にボンネット９を開けたり、エンジンルーム１０からフードロックケーブルなどの部材を取り出したりし難い。そのため、エンジンルーム１０の構成部材の盗難を抑制できる。
【００２７】
［８］フロントモニタカメラへの熱害の防止
本例の構成では、フロントグリル２の上方側にフロントモニタカメラ７が設置されている。本例の構成では、フロントモニタカメラ７とターボチャージャー４との間に導風板２０が介在されるので、ターボチャージャー４の熱がフロントモニタカメラ７に伝達し難く、フロントモニタカメラ７に熱害が生じ難くなっている。
【００２８】
＜実施形態２＞
導風板２０が複数設けられている構成を図５に基づいて説明する。
【００２９】
図５に示すように、本例のアッパーグリル２では、実施形態１の導風板２０に加え、導風板２０よりも上方側の横桟部２Ａにも導風板２１が設けられている。導風板２１も、導風板２０と同様に、ターボチャージャー４から離れる側で、かつ吸気口５側に屈曲している。本例の構成によれば、実施形態１の効果をより一層、得易くなる。特に、［５］の見栄えの向上効果、および［７］の盗難抑制効果を大幅に高めることができる。
【産業上の利用可能性】
【００３０】
本発明の車両前部構造は、内燃機関を備える車両に好適に利用可能である。
【符号の説明】
【００３１】
１００  車両
１  車両前部構造  １０  エンジンルーム
２  アッパーグリル（フロントグリル）
２ｈ，３ｈ  取込口  ２Ａ，３Ａ  横桟部  ２Ｂ，３Ｂ  縦桟部
２０，２１  導風板  ２０ｇ  薄肉部
３  ロアグリル（フロントグリル）
４  ターボチャージャー（熱源体）
５  吸気口
６  ホーン
７  フロントモニタカメラ
９  ボンネット
【図１】
2018052405.tif 000003
【図２】
2018052405.tif 000004
【図３】
2018052405.tif 000005
【図４】
2018052405.tif 000006
【図５】
2018052405.tif 000007